(57)【要約】【課題】海水浴等で使用するパラソル設置及び使用方法の改善。【解決手段】  本発明の構成を、図１〜図４に依って説明する。パラソル固定用具１の外形円錐形状部分に螺旋状の突起部３を設け、上部に巾広のリング２を形成し更に内部はパラソルの柄を任意の箇所で固定させる為の複数の深さの違う凹み４を形成、該凹み上部にはパラソルを垂直に立てる為具備した垂直保持装置８の取り付けストッパー７を複数設けている。前記巾広のリング２には貫通孔５及び該巾広のリング２中心左右の円錐形上部にＵ字溝６を設け構成している。又前記した垂直保持装置８は挿入孔リング９及び複数の固定フック１０を設け形成している。【選択図】図２
2007222585.tif 000002
【特許請求の範囲】
【請求項１】
海水浴等で使用するパラソルの柄を砂地等に直に埋め込まずに使用するパラソル固定用具であって、日差しの角度に対応すべくパラソルに傾斜を持たせる為に固定用具を円錐形とし、更に砂地等への埋め込みを容易にする為、回すことで地中へ潜り込むよう円錐形状部分に螺旋状の突起部を設け、更に円錐形状の上部内側へは、パラソルの柄を任意の箇所で固定させつつ、パラソルの傾斜角度を容易に変えられるよう、深さの違う複数の凹みを形成し、太陽光の移動に伴いパラソルの向きを容易に変えられるよう構成した事を特徴としたパラソル固定用具。
【請求項２】
前記パラソル固定用具を地中に潜り込ませる際に、回し易いように、円錐形状パラソル固定用具上面部に内径部より外径部が上面に反った巾広のリング及び中心線上左右の円錐形状上部に、Ｕ字溝を形成した事を特徴とした請求項１記載のパラソル固定用具。
【請求項３】
パラソル固定用具の上面幅広リング状部分に各々貫通孔を設け、該貫通孔にロープ叉はフック付きのバンド等を取り付け、パラソル固定用具に挿入したパラソルの柄を固定出来る様に構成した事を特徴とした請求項１〜２記載のパラソル固定用具。
【請求項４】
パラソルを垂直に立てる為の垂直保持用装置を具備したことを特徴とした請求項１記載のパラソル固定用具。
【発明の詳細な説明】
【技術分野】
【０００１】本発明は、パラソル固定用具に関するものである。
【背景技術】
【０００２】アウトドアーレジャーにおける海水浴等で、パラソルは日除けのため使用されるが、パラソルを固定する為には砂地等をスコップで深く掘り、パラソルの柄を埋め込む方法で利用されている。又、それ以外の場所等でもパラソルは利用されているが、おおむね前記同様の方法で利用されている。
【発明が解決しようとする課題】
【０００３】しかしパラソルの柄を埋め込むには労力が必要であり、いい加減な埋め込みをすると、僅かな風が吹くだけで、傾いたり倒れたりして危険である。
又パラソルを太陽光を遮る向きに立てても、太陽の移動に伴いパラソルの中に太陽光が射し込み、該太陽光からの紫外線を浴びる結果となる。このような場合パラソルの向きを変えなければならず、その為には、パラソルの柄を埋め変えて位置を動かす必要があり更に労力を要することとなる。
【課題を解決する手段】
【０００４】本発明は、パラソルの柄を砂地等に直に埋め込まず固定用具を使用し、前記課題を解決するものである。
【０００５】パラソル固定用具外形は円錐形状で、回す事で地中へ潜り込むよう前記円錐形状部分に螺旋状の突起部を設け、上面部には回し易いように中心部より外縁部が上側へ反った巾広のリングを形成してある。又固い地質の為、回す抵抗が強い場合に回し易くする為、円錐形上部左右にＵ字溝を設け身近にある棒等を利用出来るよう構成している。
【０００６】又パラソル固定用具の円錐形内部は、パラソルの柄を任意の箇所で固定させる為、深さの違う複数の凹みを形成し、太陽光の移動に伴いパラソルの向きを容易に変えられるようにしている。又パラソルを垂直に立てる保持装置も具備しパラソルの柄とパラソル固定用具は巾広のリングに設けた貫通孔を利用し、ロープ叉はバンド等により強固に固定出来るように構成している。
【発明の実施と形態】
【０００７】本発明の構成を、図１〜図４に依って説明する。
パラソル固定用具１の外形円錐形状部分に螺旋状の突起部３を設け、上部に巾広のリング２を形成し更に内部はパラソルの柄を任意の箇所で固定させる為、複数の深さの違う凹み４を形成、該凹み上部にはパラソルを垂直に立てる為具４備した垂直保持装置８の取り付けストッパー７を複数設けている。
前記巾広のリング２には貫通孔５及び該巾広のリング２中心左右の円錐形上部にＵ字溝６を設け構成している。又前記した垂直保持装置８は挿入孔リング９及び複数の固定フック１０を設け形成している。
【実施例】
【０００８】本発明の実施例を図５〜１０図に依って説明する。
パラソル固定用具１を砂地１２等に略垂直に挿し込み巾広のリング２を両手で持ち砂地１２に押し込むように一定方向に回しながら巾広のリング２が砂地１２と同一になるまで地中に潜り込ませる。
回転させる負荷が大きい場合はＵ字溝６に身近にある棒１１（木、金属、プラスチック等）を入れ前記同様一定方向に回し地中に潜り込ませる。【０００９】砂地等に埋め込まれたパラソル固定用具１内部に複数設けた凹み４に、太陽光を遮る位置にパラソルの柄１３を合わせ、巾広のリング２に設けた貫通孔５とパラソル１４の柄１３をロープ叉はバンド１５で固定する。太陽の移動に伴うパラソル１４の移動はバンド１５を緩め、固定を解除しパラソル１４の柄１３を他のみ４へ移動し前記要領を繰り返し固定する。【００１０】又パラソル１４を垂直に立てる場合は、砂地１２に潜り込ませたパラソル固定用具１に、垂直保持装置８を入れ一定方向に回転させパラソル固定用具１に複数設けた取り付けストッパー７に、前記垂直保持装置８に設けた複数の固定フック１０を合致させ取り付け、前記垂直保持装置８に設けた挿入孔リング９にパラソル１４の柄１３を挿し込み、前記した巾広のリング２に設けた貫通孔５とパラソル１４の柄１３をロープ又はバンド１５で固定する。
【発明の効果】
【００１１】本発明は、以上説明したような形態で実施され、以下に記載されるような効果を得られる。
砂地等にパラソルを安全かつ容易にセットできる。太陽光の移動に合わせ、常にパラソルの位置を簡単に移動対応出来る。
前記操作により直射日光が避けられる。
【図面の簡単な説明】
【図１】本発明のパラソル固定用具を示す平面図。
【図２】本発明のパラソル固定用具を示すＡＡ断面図。
【図３】本発明のパラソル垂直保持装置示す平面図。
【図４】本発明のパラソル垂直保持装置示す正面図。
【図５】本発明のパラソル固定用具を砂地に埋め込む状態を示す実施例図。
【図６】本発明のパラソル固定用具が砂地に埋め込まれた状態を示す実施例図。
【図７】本発明のパラソル固定用具にパラソルの柄を固定した状態を示す実施例図。
【図８】本発明のパラソル固定用具に垂直保持装置取り付ける状態を示す実施例図。
【図９】本発明のパラソル固定用具に垂直保持装置を固定した状態を示す実施例図。
【図１０】本発明のパラソル固定用具にパラソルを取り付けた状態を示す実施例図。
【符号の説明】
１：パラソル固定用具
２：巾広のリング
３：螺旋状の突起部
４：凹み
５：貫通孔
６：Ｕ字溝
７：垂直保持装置取り付けストッパー
８：垂直保持装置
９：挿入孔リング
１０：固定フック
１１：棒
１２：砂地
１３：柄
１４：パラソル
１５：ロープ叉はバンド
【図１】
2007222585.tif 000003
【図２】
2007222585.tif 000004
【図３】
2007222585.tif 000005
【図４】
2007222585.tif 000006
【図５】
2007222585.tif 000007
【図６】
2007222585.tif 000008
【図７】
2007222585.tif 000009
【図８】
2007222585.tif 000010
【図９】
2007222585.tif 000011
【図１０】
2007222585.tif 000012